(57)【要約】【課題】毛の房がスティックに良好に保持され、及び／又は様々な特徴の毛の束を有するブラシ式塗布具を、安価に提供する。【解決手段】本発明により、少なくとも一房の毛（８）及び一端に装着用の開口を有するスティック（５）を備えたブラシ式塗布具が提供される。本塗布具では、一房の毛は、少なくとも１つの留め具によりスティックの装着用開口に固定される。装着は少なくとも１つの打抜き部分（２０）を有する管状壁によって画定され、打抜き部分によって留め具の保持力が増大され、及び／又は毛の形状が変化する。【選択図】図１
2007136200.tif 000002
【特許請求の範囲】
【請求項１】
−  少なくとも一房の毛（８）
−  一端に開口する装着部（１８）を含むスティック（５）
を備えたブラシ式塗布具であって、少なくとも１つの留め具によってスティックに毛の房が固定され、少なくとも１つの打抜き部分（２０）を有する管状壁（１７）によって前記装着部が画定されることにより、留め具の保持力が増大され、及び／又は毛の形状が変形する塗布具。
【請求項２】
打抜き部分（２０）が装着部（１８）の収縮部を形成している、請求項１に記載の塗布具。
【請求項３】
打抜き部分（２０）が装着部（１８）の一方の側にのみ設けられる、請求項１又は２に記載の塗布具。
【請求項４】
打抜き部分（２０）がスティックの向かい合う少なくとも２つの側に設けられる、請求項１又は２に記載の塗布具。
【請求項５】
打抜き部分（２０）がスティック（５）の下方端（２５）までに亘る、請求項１ないし４のいずれか１項に記載の塗布具。
【請求項６】
打抜き部分（２０）がスティック（５）の下方端（２５）から離れた位置までに亘る、請求項１ないし５のいずれか１項に記載の塗布具。
【請求項７】
スティック（５）がその長さの少なくとも一部に亘って非円形の断面を有する、請求項１ないし６のいずれか１項に記載の塗布具。
【請求項８】
スティック（５）が、装着部（１８）の上方で、その長さの少なくとも一部に亘って板状の断面を有する、請求項１ないし６のいずれか１項に記載の塗布具。
【請求項９】
スティック（５）が、打抜き部分（２０）の高さに、好ましくは側方で対向する２つの外部突起（２００、２０１）を有する、請求項７に記載の塗布具。
【請求項１０】
スティック（５）が、容器（２）を取り囲む形状の把持要素（１０）に接続する、請求項１ないし９のいずれか１項に記載の塗布具。
【請求項１１】
打抜く前の装着部（１８）が階段状の形状を有しており、遠位部分（３１）が近位部分（３０）より大きい、請求項１ないし１０のいずれか１項に記載の塗布具。
【請求項１２】
−  マニキュア又は唇用製品などの塗布される製品（Ｐ）を収容する容器（２）、及び
−  請求項１ないし１１のいずれか１項に記載の塗布具（３）
を備えた保存及び適用のための装置（１）
【請求項１３】
ブラシ式塗布具の製造方法であって、
−  一端に一房の毛が固定される装着部を含むようにスティック（５）を打抜くことによって、装着部の形状を変えるステップ
を含む方法。
【発明の詳細な説明】
【技術分野】
【０００１】
本発明はブラシ式塗布具に関し、具体的には、化粧製品の塗布、特にマニキュア、口紅、又はリップグロスなどの、爪、瞼、唇又は髪への塗布に使用される塗布具に関するが、これらに限定されるものではない。
【背景技術】
【０００２】
特許文献１ないし１０は、ブラシ式塗布具の実施例を開示している。
既知のブラシ式塗布具は、一般に、装着部を画定する管状壁を下部に含む成型されたスティック、及びこの装着部に配置される少なくとも一房の毛を備えている。
【０００３】
毛の房は、装着部において２つに分離し、留め具によって固定することができる。
装着部の形状は、毛の房がスティックからどのように伸び、よって塗布の性質に影響するかを決定する。
【０００４】
スティックは成型により形成されるので、装着部の形状を変える度に新規の型が必要となり、これには比較的大きな投資を要する。
これに加え、ブラシ式塗布具は、目標とする塗布の特徴に応じて、異なる性質又は様々な数量の毛を用いて製造される。
【０００５】
装着部に異なる毛の房を同じ形式で植え込むと、毛の保持力に問題が生じる。
例えば、滑らかな毛の場合、滑らかでない毛と比較してスティックの留め具に保持されにくい。
【０００６】
スティックの留め具による保持力は、房に含まれる毛の数が少ないと弱くなる傾向がある。しかしながら、柔軟性が必要な場合、房に含まれる毛の数を減らすことが望ましい。
最後に、毛の房を２つに分け、それを留め具によってスティックの装着部に固定することにより１つの毛の束を得る場合、その毛の束が、十分に均一な状態でスティックの外側に伸びるような塗布具を製造することは、比較的難しいことが分かる。
【特許文献１】欧州特許出願第１４６２０２３号
【特許文献２】欧州特許出願第１４７７０８３号
【特許文献３】欧州特許出願第１５０４６９１号
【特許文献４】欧州特許出願第１５６３７５９号
【特許文献５】米国特許第２１２２９８０号
【特許文献６】米国特許第４２５３２１３号
【特許文献７】米国特許第５５８８４４７号
【特許文献８】米国特許第６０３３１４３号
【特許文献９】欧州特許第６０７０５９５号
【特許文献１０】特開平１１−２４４０４０号
【特許文献１１】米国特許出願第２００４／００９６２６１号
【特許文献１２】米国特許出願第２００５／００３１４０１号
【発明の開示】
【発明が解決しようとする課題】
【０００７】
従って、特に毛の房をスティックに良好に固定できるような、上記の不都合を全部又は一部解決するブラシ式塗布具が必要である。
同様に、需要に応じて、比較的薄く、ほぼ均一な毛の束を備えるブラシ式塗布具が必要である。
また、需要に応じて、例えば爪の表面全体を覆うことができるような、比較的大きな毛の束を有し、及び／又は比較的均一であるか、或いは従来の塗布具では実現が困難であるか、場合によっては不可能な形状を有するブラシ式塗布具が必要である。
【課題を解決するための手段】
【０００８】
本発明は、上記必要の全て又は一部を満たす。
これら実施形態の１つによれば、本発明の目的は、
−  少なくとも一房の毛、及び
−  一端に装着用の開口を有するスティックであって、この開口に、少なくとも１つの留め具によって毛の房が固定され、装着部は少なくとも１部が打抜き又は屈曲された管状壁によって画定されるスティック
を備えるブラシ式塗布具である。
【発明の効果】
【０００９】
打抜き部分は、例えば、留め具の保持力を増大させる、及び／又は装着部内部及び／又は外部の毛の形状を変化させることができる。
従って、打抜き部分を使用して、新しい型を形成する必要無く、毛を収容している装着部の形状を変化させることができる。同じ型を使用して塗布具を形成してから、打抜きにより、毛の房を収容する異なる形状の装着部を設けることができるので、規模の経済性を達成することができる。
これに加えて、打抜き部分により、成型によって得られる形状とは異なる形状の、又は成型では得られない形状の装着部を形成することができ、よって塗布の特徴が異なる塗布具を製造することができる。
【発明を実施するための最良の形態】
【００１０】
打抜き部分は、装着部の形状を画定することができる。
打抜き部分は、留め具を超える挿入を許さない形状の開口を有する装着部を形成することができる。
【００１１】
塗布具のスティックは、一般に板状の水平な断面を有する少なくとも１つの部分を有することができる。これにより、スティックに対して所定の方向で毛の束と留め具とをスティックに挿入することが容易に行える。
同様に、これによってスティックに対して所定の方向でスティックを打抜くことが容易になる。
【００１２】
塗布具のスティックはまた、房及び留め具を配置する際、及び／又は打抜きの際に、所定の方向で配置可能な位置決めピンを有することができる。
留め具は、例えば、スティックの水平面の大きな軸に基本的に平行な方向又は垂直な方向に向けることができるか、或いはまた別の方法で方向付けることができる。
【００１３】
打抜き部分は、装着部の一方の側、又は少なくともスティックの向かい合う２つの側に設けることができる。
装着部は、打抜きにより、円形又は非円形の横断面の開口を有することができる。スティックは、好ましくは側方で対向する２つの外部突起を、打抜き部分の高さに有することができる。これらの突起は、スティックの管状壁から外側に突出することができる。
【００１４】
打抜き部分は、スティックの端まで、又は端の手前までに亘って設けることができる。
毛の房は、スティックの遠位部分の縦軸に基本的に平行な縦軸を有する毛の束を形成することにより、又はスティックの遠位部分の縦軸とゼロでない角度を形成する縦軸を有する毛の束を形成することにより、スティックから伸ばすことができる。
【００１５】
スティックは、近位部分からずれた位置に遠位部分を有することができ、この遠位部分が装着部を画定することができる。ずれた遠位部分は、スナップ係合又は他の手段、例えば接着、はんだ付け、又は打抜きにより、近位部分に固定することができる。
装着部は、スティックの端部に位置する開口を介してだけでなく、少なくとも１つの側方開口によっても、外部に開口することができる。この側方開口は、適切であれば、打抜きを行う際に形成することができる。
【００１６】
側方開口によって、例えば、スティック端部の柔軟性が増大する。
毛の房は、装着部をスティックに挿入する前に、１１０未満、場合によっては１００以下の毛を含むことができ、塗布具は２２０未満、場合によっては２００以下の目に見える毛を含むことができる。スティックを打抜くことにより、通常より少ない数である場合も、毛の房と留め具とを良好に保持することができる。
【００１７】
本発明の一実施形態による塗布具は、少なくとも部分的にスティックを取り囲み、製品のリザーバを形成できるスリーブを有することができる。
スリーブは、装着部の外部へ伸びる毛の部分を少なくとも部分的に覆ってもよく、又は覆わなくともよい。
【００１８】
スティックは把持要素に接続することができ、把持要素は、塗布される物質の収容容器を取り囲むように作ることができる。
スティックはまた、塗布される物質の収容容器と一体式とすることができる。スティックは、毛の房に容器から導かれる物質を供給できる少なくとも１つの流路を含むことができる。
【００１９】
また、別の実施形態では、本発明の目的は、スティック、少なくとも一房の毛、及び一房の毛をスティックの装着部に固定するための留め具を備えたブラシ式塗布具の製造方法であって、本方法では：
−  装着部の形状を変えて留め具の締まりを改善する、及び／又は毛の形状を変えるようにスティックを打抜く。
打抜きは、高温でも低温でも行うことができる。
毛の束は、スティックと位置合わせして固定できる。
【００２０】
打抜きは、材料の除去によって行ってもよく、又は材料の除去によらなくてもよい。
打抜きは、スティックの自由端から一定の距離をおいた位置で行ってもよく、又は一変形例としてスティックの自由端から得てもよい。
【００２１】
打抜きは、スティックの２箇所以上で、軸方向に距離をおいて行うことができる。
前記位置の少なくとも１つは、装着部の上方に位置し、よってスティック上にヒンジを形成することができる。
【００２２】
打抜きは、スティックの長さ方向に沿った一定の距離、例えば０．５ｍｍ〜１０ｍｍに亘って行うことができる。
適当であれば、スティックは、物質の移動が容易となるように滑らかにすることができる。
【００２３】
本発明の目的はまた、ブラシ式塗布具の製造機械を含み、本機械は：
−  スティックの端部又は端部近傍を打抜きし、留め具の保持を向上させる、及び／又は毛の形状を変化させるように構成された打抜き装置
を備える。このような機械は、スティックを収容できる基部を備えることができ、打抜き機を基部の方へと下げることによりスティックを打抜くことができる。
【実施例】
【００２４】
後述の非限定的実施形態の詳細な説明を一読し、添付図面を参照することにより、本発明に対する理解を深めることができる。
図１に示す保存及び適用のための装置１は、製品Ｐを収容する容器２、及び爪などのケラチン物質に製品Ｐを適用するためのブラシ式塗布具３を備える。製品Ｐは、例えば、マニキュア液又はネイルケア製品である。
【００２５】
装置１は、適切であれば、少なくとも１つのビード４を含むことができ、これによって適用前に製品Ｐを均一にすることができる。
図示の実施例において、塗布具３は、例えばプラスチック材料から作られたスティック５を備え、このスティックの一端には一束の毛８が、他端には把持要素１０が設けられており、把持要素は容器２の閉鎖要素としても機能している。
【００２６】
把持装置１０は、例えば容器２のねじ山付きのカラー部１２に螺合するように設計されるが、塗布具３が異なる方法で容器に固定される場合も、或いは塗布具が容器に固定されるように設計されない場合も、本発明の範囲に含まれ、塗布具が容器に固定されない場合、容器は例えば塗布具から独立した栓手段により閉鎖される。
図示の実施例では、スティック５は、その一端に把持要素１０と係合するプレート部１３を備えており、把持要素１０をねじ込むと、このプレート部に対してカラー部１２の上端１４が接触して保持されることにより、容器２が密封される。
【００２７】
図に示すように、上端１４にねじ切リップを設けることにより、密封効果を得やすくすることができる。
図示しない実施形態では、カラー部１２の内周に接するようにスティック５を配置することにより、容器２を密封することができる。このために、スティック５は、先端を切り取った円錐又はシール用リップの形状の部分を有することができる。
【００２８】
スティック５は、例えばスナップ留め、摩擦、接着剤、又ははんだ付けなど、様々な方法で把持要素１０に固定することができる。
図１に示すスティックは、プレート部１３の上方に、把持要素１０にスティックを固定するように機能する管状スカート部１６を備えている。
【００２９】
図３３に示す変形例では、スティック５は、プラスチック材料を成型することにより、スティックを容器２のカラー部に固定するように機能するねじ切スリーブ１２０と一体形成される。このスカート部１２０は把持要素１０として機能することができ、適当であれば、被覆要素で覆うことができる。
【００３０】
図３に示すように、スティック５は、少なくともその下側端部に管状壁１７を備え、この管状壁によって毛の束８を収容する装着部１８が画定されている。
装着部１８より上方のスティック５は、少なくともその長さの一部に亘って、例えばその長さの半分を超える長さ、場合によってはその全長に亘って、完全な横断面を有することができる。
【００３１】
ここに考慮する実施例では、毛の束８は装着部１８で２つに分離され、スティック５の材料に装着部１８の上方で挿入された留め具１９によってその形状に維持される。
管状壁１７は、少なくとも１つの打抜き部分２０を備え、この打抜き部分は、例えば図３の実施例ではスティックの一方の側に位置しており、図４の変形例ではスティックの向かい合う２つの側に位置している。
【００３２】
打抜き部分２０は、例えばスティックの下方端２５から０でない距離ｄに亘る。
このような打抜き部の配置を有効に使用して、特に、装着部１８の開口４０の形状を変える必要なく、スティック５による毛の束８の保持を改善することができる。
【００３３】
スティック５は、装着部１８に毛の束８を固定した後で、実行する打抜きと一致する形状の少なくとも１つの打抜き要素を有する適切な機械に通すことにより打抜きされる。
この機械は、打抜き要素に対して所定の位置にスティックを受けるのに適した形状の基部を備えることができる。この基部により、スティックは、打抜き要素に対して所定の角度位置に配置され、よって毛の房及び／又は留め具１９に対して適切に打抜きが行われる。
【００３４】
必要な結果に応じて様々な形状の打抜き要素が使用可能である。
打抜きは、例えば１又は複数の打抜き部分に所望の形状に応じて、並びにスティックの性質及び／又は毛の性質に応じて、適切であれば高温又は低温で行うことができる。
【００３５】
図５及び６に示す変形実施形態では、打抜き部分２０によってスティックの外側の毛の形状が変化している。
打抜き部分２０は、スティックの下方端２５から上方に向かって一定の距離、例えば装着部１８の深さより小さい距離に亘っている。
【００３６】
図５及び６に示す実施形態では、打抜き部分２０の存在により、装着部１８の下部が開口に向かって縮小しており、これにより、例えばスティックの外側に厚みが比較的小さく、及び／又は更に均一な一束の毛が得られる。スティック５は、好ましくは側方で向かい合う２つの外部突起部２００、２０１を打抜き部分２０の高さに備えることができる。これらの突起部は、スティック５の管状壁１７から外側に向かって突出する。このような塗布具は、比較的正確な塗布を行えることが証明されている。
１以上の打抜き部分２０の存在により、同様に、例えば正中面Ｍに沿って図６に示す断面にほぼ垂直に、一束の毛を広げることができる。
【００３７】
これは、例えば塗布具の各流路の表面積を大きくすることによって、メークアップに必要な時間を短縮することに寄与する。
本技術分野の当業者であれば、１又は複数の打抜き部分２０の形状に応じて、スティックの新規の型を製造する必要無く、毛の束の形状を変更することが容易であることが分かるであろう。
【００３８】
これに加えて、スティック５の打抜きによって装着部１８が変形することにより、スティックによる毛の房の保持が改善され、これにより毛の束に関して、例えば毛の選択及び／又は毛の数に関して、スティックによる毛の房の保持が不十分になることなく、選択の幅が広がる。
毛の房は、例えば、１１０未満、例えば１００以下の毛を備えることができ、これを折り畳んで装着部１８に固定する。
適切であれば、スティックを研磨して外側表面を滑らかにすることができる。
【００３９】
図７に示す実施例では、スティック５は一方の側からのみ打抜きされる。
装着部１８の形状は、本発明の範囲を逸脱せずに様々に変形させることができる。
【００４０】
図３及び４に示す実施例では、装着部１８に、基本的に平坦で、スティックの縦軸に垂直な底部を設けることができるが、装着部は他の形状を有してもよい。
図８に単独で示すのは、毛の束を配置して打抜く前の、図７に示す塗布具のスティックの下方端である。
【００４１】
装着部１８は、例えば、一定の円筒状部分と、例えば基本的に先端を切り取った円錐の形状を有する底部２８とを有することができる。
同等に、装着部１８は、図９に示すような階段状とすることもでき、この場合、装着部の底部２８に隣接する近位部分３０と、近位部分３０よりも幅の広い遠位部分３１を有する。
【００４２】
図１０に示すように、スティック５は、装着部１８の周辺で材料の厚みが増大するように製造することができる。
図１０では、スティック５の遠位部分の幅は広く、これにより管状壁１７の厚みを大きくすることができる。厚みを増すことで、打抜きに対するスティックの耐性が向上する。
【００４３】
１又は複数の打抜き部分２０は、例えば図１１に示すように装着部の遠位部分３１にのみ形成することができる。
変形例として、１又は複数の打抜き部分２０は、例えば装着部１８の近位部分３０にのみ、又は近位部分３０と遠位部分３１とに亘って、形成することができる。
【００４４】
スティック５は、毛の束８がスティックから伸びる方向を変更するように打抜くことができ、例えば、図１２に示すように、スティックを打抜くことにより、スティックから伸びる毛の束を方向Ｙに向けて、スティック５の縦軸との間にゼロでない角度αを形成することができる。角度αは、例えば１〜１０°である。
スティック５の打抜きは、図１３に示すように、結果として材料が盛り上がるように行うことができる。この図では、打抜き部分は側方開口部２９を備え、この開口部によって塗布具の柔軟性が向上している。
【００４５】
図１３に示すように、スティック５はまた、毛の束８を収容する装着部の上方で打抜くことにより、ヒンジ５０を形成することができる。
図１４に示すスティック５は、留め具の保持力を増大させ、毛８の形状を変更することができる複数の打抜き部分２０を備える。これらの打抜き部分２０は、例えば、同時に又は連続的に製造される。
打抜き部分の存在はまた、スティック５の柔軟性を増大させることができる。
【００４６】
図１５に示すように、装着部１８の開口４０の打抜き前の形状は、例えば円形とすることができるが、本発明はこの形状に限定されない。
開口部に特に可能な他の断面の例を図１６〜１９に示す。
【００４７】
スティック５は特に多角形の開口を有することができ、例えば図１６及び１７にそれぞれ示すような菱形又は長方形の開口を有することができる。
図１８及び１９に示すように、装着部１８の周囲の管状壁１７の厚みｅは一定でなくともよい。変形例として、この厚みは一定とすることもできる。
【００４８】
スティック５は、例えば特許文献１１に記載されている種類の少なくとも１つの縦方向のスロート部４２を有することができる。
横断面を非円形で例えば平坦にすることにより、スティックに対して所定の方向を向くように毛の房を移植することが容易になり、同様に、毛の房に対して特定の方法でスティックを打抜くことができる。一変形例として、スティック５はこのために位置決めピンを備えることができる。
【００４９】
本発明の一実施例では、スティック５の横断面は平坦で、例えば角を丸めた概ね長方形であり、主要面上に２つの縦方向のスロート部を有する。このようなスロート部は、毛の束８の正中領域に向かってスティック上を流れる製品の流路となることができる。
打抜きにより、スティックに様々な形状、例えば図６に示すような概ね平坦な形状、又は図２０に示すような、一般にレンズ型の形状、即ち中央部で膨らみ、側方で平になっている形状を与えることができる。
【００５０】
同様に、打抜きによってスティックの断面に波形を付けることができ、例えば図２１に示すように両側に波形を付けるか、図２２に示すように一方の側にのみ波形を付けることができる。
装着部の開口４０の長さ方向の軸Ｚが、図２３に示すように内側に湾曲するように、スティックを打抜くことが可能であり、この場合、スティックの端部は、例えば瓦の一般的形状を有する。これにより、爪の湾曲形状に近い、内側に湾曲した毛の束を形成することができる。
【００５１】
装着部１８の開口はまた、図２４に示すように、端部より中央部が狭い形状とすることができる。
図２５に示すように、スティックは、装着部の開口がスティックの縦軸を中心にして非対称となるような形状にすることができる。この図において、装着部１８の開口４０の幅は、横に行くに従って増大し、装着部１８は、例えばほぼ三角形の横断面を有する。
【００５２】
打抜き方法に関係なく、スティック５は、様々に異なる方法で、例えば長さの一部が平坦になるように製造可能である。
スティック５は、例えば、図２６に示すように少なくとも１つの関節部分５０を有することができる。関節部分は、例えば図１３に示す実施例と同様の打抜きを行うか、又は成型により製造可能である。
少なくとも１つの関節領域を有するスティックは、特に特許文献１２に記載されている。
【００５３】
スティックは、図２７に示すような細い部分を有することができる。細い部分を有するスティックの実施例の幾つかは、特許文献８に開示されている。
スティックはまた、図２８に示すような平坦な部分を有することができる。そのような平坦部分を有するスティックの一実施例は、前記米国特許に開示されている。スティックの打抜きにより、一般にスティックの表面に平行な平面に沿って、毛を収容する装着部を平坦に作ることができる。
【００５４】
図２９に示すように、装着部１８は、スティック５の近位部分６１に追加される遠位部分６０内に製造することができる。
遠位部分６０は、例えばスナップ留めにより近位部分６１に固定される。変形例では、遠位部分６０の固定は、接着剤、はんだ付け、ネジ止め、又はクランプ留めなどの別の方法で行うことができる。
【００５５】
本発明は、本明細書で説明した実施例に限定されない。
留め具１９は、図６及び２６に示すように、正中面Ｍにほぼ平行な方向に向けることができるが、変形例として、留め具１９の方向は異なる方法で決めることができ、例えば図３０に示すように、中央部分２６を正中面Ｍと装着部１８の開口４０の主軸とにほぼ垂直な方向に向けることができる。
【００５６】
図３１に示す塗布具３のスティック５はスリーブ７０によって取り囲まれており、このスリーブは、スティックと共に、製品Ｐが蓄積できる空間７１を形成している。これにより、塗布具の独立機能が増大する。スティックを取り囲むスリーブを備えた塗布具の実施例は、特許文献４に開示されている。
塗布される製品を収容する容器は、使用時には塗布具と一体化させることができる。
【００５７】
スティック５は、例えば、図３２に示すように容器２に固定される。
スティック５には、製品Ｐを導く少なくとも１つの流路８３を貫通させることができる。
【００５８】
適切であれば、図示するように、スリーブ７０でスティック５を取り囲むことができる。
使用されない間、塗布具は別の容器８５に固定することができる。
【００５９】
適切であれば、打抜きにより、図３４に示すように、スティックから伸びる毛の束を２つの別個の小束に分離することができる。
使用する毛は様々に変更可能である。
【００６０】
例えば、混合毛、波状の毛、及びうねり方が異なる毛を使用することができる。
折り畳んでスティックに移植する前に、毛の房は、６．５／１００ｍｍ以下の比較的大きな横断面を有する毛など、様々な直径の毛を含むことができ、数は例えば２５０を超える数とすることができる。
【００６１】
異なる複数の実施形態の特徴を組み合わせて、ここに説明しない変形例とすることができる。
「備える」という表現又はそれと同義の表現は、特に断らない限り「少なくとも１つの〜を備える」という意味を表わす。
【図面の簡単な説明】
【００６２】
【図１】本発明の一実施形態によって製造されたブラシ式塗布具を備える保存及び適用のための装置の、部分縦断面を示す線図である。
【図２】図１の塗布具のスティックの部分拡大図である。
【図３】図２のＩＩＩ−ＩＩＩに沿った軸方向部分断面の線図である。
【図４】本発明の一実施形態の図３と同様の図である。
【図５】塗布具の一変形実施形態の部分立面図である。
【図６】図５のＶＩに沿った部分縦断面図である。
【図７】塗布具の一実施形態の部分縦断面図である。
【図８】毛の房を配置する前の、スティックの一実施形態の下部を示す部分縦断面である。
【図９】スティックの一変形実施形態の、図８と同様の図である。
【図１０】スティックの一変形実施形態の、図８と同様の図である。
【図１１】毛の房を固定し、打抜きを終えた後の、図９のスティックを示す。
【図１２】塗布具の一変形実施形態の部分縦断面図である。
【図１３】塗布具の別の実施形態の部分立面図である。
【図１４】塗布具のまた別の実施形態の部分立面図である。
【図１５】図８のＸＶ−ＸＶに沿った横断面図である。
【図１６】スティックの一変形実施形態の、図１５と同様の図である。
【図１７】スティックの一変形実施形態の、図１５と同様の図である。
【図１８】スティックの一変形実施形態の、図１５と同様の図である。
【図１９】スティックの一変形実施形態の、図１５と同様の図である。
【図２０】打抜き後のスティックと毛の房の一実施例の拡大横断面図である。
【図２１】打抜き後のスティックと毛の房の別の実施例の拡大横断面図である。
【図２２】打抜き後のスティックと毛の房のまた別の実施例の拡大横断面図である。
【図２３】打抜き後のスティックと毛の房のまた別の実施例の拡大横断面図である。
【図２４】打抜き後のスティックと毛の房のまた別の実施例の拡大横断面図である。
【図２５】打抜き後のスティックと毛の房のまた別の実施例の拡大横断面図である。
【図２６】塗布具の一変形実施形態の部分従断面の線図である。
【図２７】スティックの別の実施例の概略斜視図である。
【図２８】スティックのまた別の実施例の概略斜視図である。
【図２９】塗布具の一変形実施形態を示す、図２と同様の図である。
【図３０】一変形実施例の図２６と同様の図である。
【図３１】塗布具の一変形実施形態の縦断面の線図である。
【図３２】塗布具の別の変形実施形態の縦断面の線図である。
【図３３】スティックの一変形実施形態の縦断面を示す。
【図３４】塗布具の一変形実施形態の部分立面図を示す。
【符号の説明】
【００６３】
１    保存及び適用のための装置
２    容器
３    塗布具
４    ビード
５    スティック
８    毛の房
１０    把持要素
１２    カラー部
１３    プレート部
１４    カラー部上端
１６    管状スカート部
１７    管状壁
１８    装着部
１９    留め具
２０    打抜き部分
２５    スティックの下方端
２８    装着部の底部
３０    装着部の近位部分
３１    装着部の遠位部分
４０    装着部の開口
５０    関節領域
６０    スティックの遠位部分
６１    スティックの近位部分
７０    スリーブ
７１    空間
８３    流路
８５    別の容器
【図１】
2007136200.tif 000003
【図２】
2007136200.tif 000004
【図３】
2007136200.tif 000005
【図４】
2007136200.tif 000006
【図５】
2007136200.tif 000007
【図６】
2007136200.tif 000008
【図７】
2007136200.tif 000009
【図８】
2007136200.tif 000010
【図９】
2007136200.tif 000011
【図１０】
2007136200.tif 000012
【図１１】
2007136200.tif 000013
【図１２】
2007136200.tif 000014
【図１３】
2007136200.tif 000015
【図１４】
2007136200.tif 000016
【図１５】
2007136200.tif 000017
【図１６】
2007136200.tif 000018
【図１７】
2007136200.tif 000019
【図１８】
2007136200.tif 000020
【図１９】
2007136200.tif 000021
【図２０】
2007136200.tif 000022
【図２１】
2007136200.tif 000023
【図２２】
2007136200.tif 000024
【図２３】
2007136200.tif 000025
【図２４】
2007136200.tif 000026
【図２５】
2007136200.tif 000027
【図２６】
2007136200.tif 000028
【図２７】
2007136200.tif 000029
【図２８】
2007136200.tif 000030
【図２９】
2007136200.tif 000031
【図３０】
2007136200.tif 000032
【図３１】
2007136200.tif 000033
【図３２】
2007136200.tif 000034
【図３３】
2007136200.tif 000035
【図３４】
2007136200.tif 000036
【外国語明細書】
2007136200000001.pdf
2007136200000002.pdf
2007136200000003.pdf
2007136200000004.pdf